(57)【要約】【課題】様々な三脚の脚部の形状・口径と調和して、しっかりと取り付けることのできるテーブル棚を提供する。【解決手段】三脚８０に取り付けられるテーブル棚３である。テーブル棚３は、平板状のボード部３０と、ボード部３０の側縁近傍に取り付けられる梁部３１と、梁部３１に取り付けられる左右一対の嵌合アーム部３２、３２であって、三脚８０の２本の脚部８１、８１を抱えるように、外側から内側に向かって伸びる嵌合アーム部３２、３２と、を備えている。この嵌合アーム部３２は、梁部３１との間に形成される隙間３４が、外側で狭くなり、かつ、内側で広くなるように、梁部３１に対して斜めに伸びるようにされている。【選択図】図２
2020078493.tif 000002
【特許請求の範囲】
【請求項１】
三脚に取り付けられるテーブル棚であって、
平板状のボード部と、
前記ボード部の側縁近傍に取り付けられる梁部と、
前記梁部に取り付けられる左右一対の嵌合アーム部であって、三脚の２本の脚部を抱えるように、外側から内側に向かって伸びる嵌合アーム部と、を備えるテーブル棚。
【請求項２】
前記嵌合アーム部は、前記梁部との間に形成される隙間が、外側で狭くなり、かつ、内側で広くなるように、前記梁部に対して斜めに伸びるようにされている、請求項１に記載されたテーブル棚。
【請求項３】
前記嵌合アーム部は、前記梁部に対してスライド移動可能に構成されている、請求項１又は請求項２に記載されたテーブル棚。
【請求項４】
三脚と、
前記三脚の２本の脚部を抱えるように取り付けられる、請求項１乃至請求項３のいずれか一項に記載されたテーブル棚と、
前記三脚のカメラ台に取り付けられるイーゼルと、を備えるイーゼルシステム。
【請求項５】
前記イーゼルは、
前記三脚のカメラ台に取り付けられる主軸竿部と、
前記主軸竿部に沿ってスライド移動可能に構成された一対の受台部であって、キャンバスを上下から挟持することができるようになっている、一対の受台部と、
から構成される、請求項４に記載されたイーゼルシステム。
【発明の詳細な説明】
【技術分野】
【０００１】
本発明は、市販されている様々な三脚に取り付けることのできるテーブル棚に関するものである。
【背景技術】
【０００２】
従来から、カメラ用の三脚はコンパクトで携帯性に優れていることが知られている。加えて、カメラが設置されるカメラ台は、角度・向き・高さ・回転を自由自在に変えることができるようになっている。したがって、絵画を制作する際には、市販されているカメラ用の三脚にキャンバスを固定すれば、必要に応じて水平・垂直・斜めと自由に向きを変えることができ、かつ、安定してキャンバスを固定できるイーゼルとして使用できるため便利である。
【０００３】
すなわち、カメラ用の三脚にキャンバスを固定したものは、一般的な形状の標準サイズの絵画用イーゼルと比べても機能的により優れている。同様に、カメラ用の三脚にテーブル棚を固定すれば、床に散乱してしまいがちな道具、材料をキャンバス下スペースに保持できる（例えば、特許文献１参照）。
【先行技術文献】
【特許文献】
【０００４】
【特許文献１】特開２０１０−２１４９３６号公報
【発明の概要】
【発明が解決しようとする課題】
【０００５】
しかしながら、特許文献１に記載されたような従来型のテーブル棚は、特定のメーカーの三脚専用に開発されているものである。そのため、脚部の形状・口径が異なる別のメーカーの三脚とは合わずに、しっかりと取り付けることができない、という問題点があった。
【０００６】
そこで、本発明は、様々な三脚の脚部の形状・口径と調和して、しっかりと取り付けることのできるテーブル棚と、このテーブル棚を備えるイーゼルシステムと、を提供することを目的としている。
【課題を解決するための手段】
【０００７】
前記目的を達成するために、本発明のテーブル棚は、三脚に取り付けられるテーブル棚であって、平板状のボード部と、前記ボード部の側縁近傍に取り付けられる梁部と、前記梁部に取り付けられる左右一対の嵌合アーム部であって、三脚の２本の脚部を抱えるように、外側から内側に向かって伸びる嵌合アーム部と、を備えている。
【０００８】
また、前記嵌合アーム部は、前記梁部との間に形成される隙間が、外側で狭くなり、かつ、内側で広くなるように、前記梁部に対して斜めに伸びるようにされていることが好ましい。
【０００９】
さらに、前記嵌合アーム部は、前記梁部に対してスライド移動可能に構成されていることが好ましい。
【００１０】
さらに、本発明のイーゼルシステムは、三脚と、前記三脚の２本の脚部を抱えるように取り付けられる、上述したいずれかのテーブル棚と、前記三脚のカメラ台に取り付けられるイーゼルと、を備えて構成される。
【００１１】
また、前記イーゼルは、前記三脚のカメラ台に取り付けられる主軸竿部と、前記主軸竿部に沿ってスライド移動可能に構成された一対の受台部であって、キャンバスを上下から挟持することができるようになっている、一対の受台部と、から構成されることが好ましい。
【発明の効果】
【００１２】
このように、本発明のテーブル棚は、三脚に取り付けられるテーブル棚であって、平板状のボード部と、ボード部の側縁近傍に取り付けられる梁部と、梁部に取り付けられる左右一対の嵌合アーム部であって、三脚の２本の脚部を抱えるように、外側から内側に向かって伸びる嵌合アーム部と、を備えている。このような構成であれば、様々な三脚の脚部の形状・口径と調和して、しっかりと取り付けることのできるテーブル棚となる。
【００１３】
また、嵌合アーム部は、梁部との間に形成される隙間が、外側で狭くなり、かつ、内側で広くなるように、梁部に対して斜めに伸びるようにされているため、様々な三脚の脚部の形状・口径と調和して、しっかりと強固に取り付けることのできるテーブル棚となる。
【００１４】
さらに、嵌合アーム部は、梁部に対してスライド移動可能に構成されているため、より広範囲の三脚の脚部の形状・口径と調和させて、安定して取り付けることのできる、テーブル棚となる。加えて、一対の嵌合アーム部間の距離を調整することで、テーブル棚を取り付ける高さ位置を好みに応じて設定できるようになる。
【００１５】
さらに、本発明のイーゼルシステムは、三脚と、三脚の２本の脚部を抱えるように取り付けられる、上述したいずれかのテーブル棚と、三脚のカメラ台に取り付けられるイーゼルと、を備えて構成される。このような構成であるため、キャンバスを安定して固定でき、制作中でも自由な位置・角度に調整可能で、同時に手元の好きな高さ位置に道具材料を置く棚のスペースを確保できるようになる。
【００１６】
また、イーゼルは、三脚のカメラ台に取り付けられる主軸竿部と、主軸竿部に沿ってスライド移動可能に構成された一対の受台部であって、キャンバスを上下から挟持することができるようになっている、一対の受台部と、から構成されることが好ましい。このような構成であるため、簡易な構造によってキャンバスを強固に挟持・固定できるようになる。
【図面の簡単な説明】
【００１７】
【図１】実施例のイーゼルシステムの斜視図である。
【図２】テーブル棚の構成を説明する斜視図である。（ａ）は嵌合アーム部をスライドさせる前、（ｂ）はスライドさせた後の状態である。
【図３】嵌合アーム部の動作を説明する説明図である。（ａ）は平面図であり、（ｂ）は側面図である。
【図４】テーブル棚の作用を説明する説明図である。（ａ）は円形断面の小型の三脚に、（ｂ）は四角形断面の小型の三脚に、（ｃ）は円形断面の大型の三脚に、（ｄ）は四角形断面の大型のイーゼル三脚に、それぞれテーブル棚を適用した場合である。
【図５】変形例のテーブル棚の斜視図である。
【図６】イーゼルの側面図である。
【図７】イーゼルの受台部の斜視図である。（ａ）は正面方向から、（ｂ）は背面方向から見た図である。
【図８】受台部の作用を説明する断面図である。（ａ）は位置を固定していない状態、（ｂ）は位置を固定した状態である。
【発明を実施するための形態】
【００１８】
以下、本発明の実施の形態について図面を参照して説明する。なお、以下の実施例は、例示であり、本発明の技術的範囲は以下の実施例に記載された範囲に限定されるものではない。
【実施例】
【００１９】
（イーゼルシステムの構成）
まず、図１を用いて本発明のテーブル棚３を備えるイーゼルシステムＳの全体構成を説明する。本実施例のイーゼルシステムＳは、三脚８０と、三脚８０の２本の脚部８１、８１を抱えるように取り付けられるテーブル棚３と、三脚８０のカメラ台８６に取り付けられるイーゼル２と、を備えて構成される。
【００２０】
（三脚の構成）
三脚８０は、市販されている静止画撮影又は動画撮影のカメラ用（又はビデオカメラ用）の三脚８０であり、カメラ（又はビデオカメラ）が設置されるネジを有するカメラ台（ヘッド、雲台）８６と、カメラ台８６から斜め下方向に広がりつつ延びる３本の脚部８１、８１、８１と、カメラ台８６を貫通して延びる高さ調整用のセンターポール８７と、を備えている。
【００２１】
各脚部８１は、例えば、３段の入れ子状（テレスコ状）に形成されており、自由に長さを調整できるようになっている。３本の脚部８１、８１、８１は、下方に向かって間隔を広げるようにして伸びており、同じ傾斜角度（開き具合）を維持するようにされている。カメラ台８６は、例えば、起伏回転（ＸＺ方向）、水平回転（ＸＹ方向）できるようになっている。なお、カメラ台８６は、左右回転（ＹＺ方向）できるようになっていてもよい。
【００２２】
（テーブル棚の構成）
テーブル棚３は、平板状のボード部３０と、ボード部３０の側縁近傍に取り付けられる梁部３１と、梁部３１に取り付けられる左右一対の嵌合アーム部３２、３２であって、三脚８０の２本の脚部８１、８１を抱えるように、外側から内側に向かって伸びる嵌合アーム部３２、３２と、を備えている。
【００２３】
ボード部３０は、木製の四角形の平板から形成されるものであり、テーブル棚３のテーブルとしての機能の主要部をなしている。すなわち、ボード部３０には、図示しないパレットや筆が載置される。なお、本実施例では、ボード部３０は、梁部３１の下側に固定されているが、後述する図５に示すように、ボード部３０は、梁部３１の上側に固定されていてもよい。ボード部３０は、三脚８０の２本の脚部８１、８１の手前側（三脚８０の外側）に配置されて、制作者にとって使いやすい位置となっている。
【００２４】
梁部３１は、木製の棒部材（角材）から形成されるものであり、ボード部３０の剛性を補強するとともに、一対の嵌合アーム部３２、３２をスライド移動可能に保持する機能を有している。梁部３１には、図１〜図３に示すように、ボード部３０に近い正面側の左右に長さ方向に沿って長孔部３１ｂが形成されるとともに、背面側に長さ方向に沿って溝部３１ａが形成されている。
【００２５】
加えて、梁部３１は、図３（ｂ）に示すように、ボード部３０に対して傾斜させて取り付けられている。すなわち、三脚８０の脚部８１は傾斜しているところ、梁部３１とボード部３０を垂直に取り付けるとボード部３０が水平にならない。そこで、市販されている三脚８０の脚部８１の傾斜に合わせて、この傾斜を打ち消すように梁部３１とボード部３０を傾斜させることで、ボード部３０が水平になるようにされている。
【００２６】
そして、梁部３１の左右の長孔部３１ｂには、嵌合アーム部３２がボルト３３によって固定されている。さらに、背面側の溝部３１ａに嵌合アーム部３２の基端部が嵌め込まれていることで、図３（ａ）に示すように、嵌合アーム部３２は、梁部３１の長さ方向に沿ってスライド移動可能に構成されている。
【００２７】
嵌合アーム部３２、３２は、木片から形成されるものであり、三脚８０の２本の脚部８１、８１を抱えるように、外側から内側に向かって伸びている。すなわち、嵌合アーム部３２は、基端部（付け根）が外側に位置し、片持ち状に突出した先端部が内側に位置するようになっている。
【００２８】
そして、嵌合アーム部３２は、梁部３１との間に形成される隙間３４が、基端部側である外側で狭くなり、先端部側である内側で広くなるように、梁部３１に対して斜めに伸びるように形成されている。なお、隙間３４の最奥部は円弧状に形成されることが好ましいが、最奥部の隙間３４の幅をきわめて狭く形成する場合には、必ずしも円弧状に形成されていなくてもよい。
【００２９】
さらに、隙間３４の幅は、最先端位置（入口位置）の幅は市販の三脚（８０Ｃ、８０Ｄ）の最大径の脚部８１に嵌合する程度にされ、最奥位置の幅は市販の三脚（８０Ａ、８０Ｂ）の最小径の脚部８１に嵌合する程度にされている。以下、この点について図４（ａ）〜（ｄ）に示す具体例を用いて説明する。
【００３０】
まず、図４（ａ）に示す円形断面の小型の三脚８０Ａの場合には、脚部８２は隙間３４の最奥部に接して固定されるようになっている。次に、図４（ｂ）に示す四角形断面の小型の三脚８０Ｂの場合には、脚部８３は隙間３４の中間位置に対角線を接して固定されるようになっている。
【００３１】
さらに、図４（ｃ）に示す円形断面の大型の三脚８０Ｃの場合には、脚部８４は隙間３４の入口寄りの位置に接して固定されるようになっている。次に、図４（ｄ）に示す四角形断面の大型の絵画用のイーゼル三脚８０Ｄの場合には、脚部８５は隙間３４の入口寄りの位置に一辺と対角部を接して固定されるようになっている。
【００３２】
このように、上述したような広範囲の径・形状の脚部（８２〜８５）が、嵌合アーム部３２と梁部３１の間に形成される隙間３４にぴったりと嵌合するようになる。そのため、テーブル棚３のぐらつきを抑えて、テーブル棚３をしっかりと安定して固定できるようになるのである。
【００３３】
なお、図５に示す別形態のテーブル棚３Ａのように、ボード部３０には、複数の波型の凹凸が形成された筆置き３０ａや、左又は右の側縁近傍に設けられた円孔であるカップホルダ３０ｂ、３０ｂが付加されることも好ましい。
【００３４】
（テーブル棚の作用）
上述したテーブル棚３は、概ね下記のような作用を有している。
（１）一般的に使われる小型から中型三脚にジョイントして使え、三脚のメーカー、タイプ、脚の口径の形とサイズを選ばずに、三本足のほとんどの三脚８０に安定固定できる。
（２）面倒な動作をせずとも、ワンタッチで手早く中央に（体の正面に）固定できる。
（３）嵌合アーム部３２、３２の間隔を調整することによって、カメラ用の三脚８０に固定する高さを自由に変えられる。
（４）市販されている普及型の自立式標準イーゼル（カメラ三脚は使わない、三脚型の一般イーゼル）にも安定固定できる。
（５）水彩、油彩の制作をサポートするカップホルダ３０ｂ（穴あき棚）、筆置き３０ａ（筆置き付き棚）などのオプションを取り付ける際には、ボード部３０を中央より右寄り、もしくは左寄りに出したりして調整固定が可能である。
（６）三脚８０の脚部８１の角度に沿うようにテーブル棚３の梁部３１に傾斜（角度）を付けている点と、左右からスライドさせて締める嵌合アーム部３２が「奥へ向かって隙間３４の幅が狭くなる構造」を有しているため、スライドして締めた後に、道具を置おいてテーブル棚３に下向きの荷重が加わることによって、いっそう安定固定した状態となる。
【００３５】
（イーゼルの構成）
イーゼル２は、図１、図６に示すように、三脚８０のカメラ台８６に取り付けられて、キャンバス９０を好きな向き・位置に保持する機能を有している。具体的に言うと、イーゼル２は、三脚８０のカメラ台８６に取り付けられる主軸竿部２０と、主軸竿部２０に沿ってスライド移動可能に構成された一対の受台部２１、２１であって、キャンバス９０を上下から挟持することができるようになっている、一対の受台部２１、２１と、から構成されている。
【００３６】
主軸竿部２０は、木製の棒部材（角材）から形成されるものであり、正面側の左右には長さ方向に沿って延びる一対の溝部２０ａ、２０ａが形成されている。溝部２０ａは、図７、図８に示すように、奥行き方向に外側から内側に傾斜するように形成されており、ハ字形断面の細長い空間（隙間）を形成している。さらに、主軸竿部２０の背面側には、長さ方向の中央近傍に、三脚８０のカメラ台８６の雄ネジ８６ａに螺合する雌ネジ孔２０ｂが埋設されている。なお、雌ネジ孔２０ｂは、長さ方向の異なる位置に複数配置されていることが好ましい。
【００３７】
受台部２１は、木製のＬ字断面の棒部材（角材）から形成されるものであり、キャンバス９０を前後から挟むための、表ストッパ２３及び裏ストッパ２４、２４と、を備えている。さらに、受台部２１の中央には孔２１ａが貫通形成されている。そして、この孔２１ａに、後述する金具２２のネジ部２２ｂが挿通されて、ワッシャ２５を介して蝶ナット２６が螺合されている。
【００３８】
そして、主軸竿部２０の溝部２０ａには、金具２２のハ字板部２２ａがスライド移動可能に嵌め込まれるとともに、受台部２１の孔２１ａには、金具２２のネジ部２２ｂが貫通固定されることで、主軸竿部２０と受台部２１とが互いに引き寄せられるようにして固定されている。すなわち、金具２２は、主軸竿部２０の溝部２０ａよりひと回り小さいハ字板部２２ａと、ハ字板部２２ａの中央に突設されるネジ部２２ｂと、を一体に備えて構成されている。
【００３９】
したがって、図８（ａ）に示すように、蝶ナット２６を緩めた状態では、受台部２１が主軸竿部２０と離れており、金具２２のハ字板部２２ａは、主軸竿部２０の溝部２０ａ内を自由にスライド移動できるようになっている。一方、図８（ｂ）に示すように、蝶ナット２６を締めた状態では、受台部２１が主軸竿部２０に押し付けられており、金具２２のハ字板部２２ａは主軸竿部２０の溝部２０ａ内で受台部２１側に押し付けられている。
【００４０】
結果として、蝶ナット２６を締め付けた状態では、受台部２１と主軸竿部２０は互いに抗力を及ぼし合うことで、両者間に大きな摩擦力が作用してスライド移動が拘束されるようになっている。このため、図１に示すように、キャンバス９０を上下の受台部２１によって拘束することで、キャンバス９０を主軸竿部２０に沿った任意の位置にしっかりと固定することができるのである。
【００４１】
なお、例えば、下側の受台部（２１）又は上側の受台部（２１）のいずれか一方は、主軸竿部２０に対して、移動できないように固定されているものであってもよい。さらに、受台部２１を４つ用いることで、２つのキャンバス９０を固定することもできるし、より多数の受台部２１を用いて多数のキャンバス９０を固定することもできる。
【００４２】
（イーゼルの作用）
上述したイーゼル２は、概ね下記のような作用を有している。
（１）カメラ用の三脚８０にジョイントして使え、野外、室内で一般的に描かれるキャンバス、パネル、スケッチブックのサイズ全てに対応して安定固定できる。本発明では、最小のキャンバス０号サイズ（１８０Ｘ１４０（ｍｍ））から中型の３０号（９１０Ｘ７２７（ｍｍ））、野外では大きなサイズといえる）のサイズまでに対応している。
（２）シンプルな構造によって携帯性と取り回し易さが向上した。
（３）同時に上下に２枚のキャンバスを設置できるので２枚同時制作や、見本作品を見ながらの模写制作が１つのイーゼルで可能になった。
（４）イーゼル２の主軸竿部２０に傾斜のある溝２０ａと溝２０ａを金具２２がスライドするシンプルな構造により受台部２１を固定することにより、最小キャンバス０号サイズ（１８０Ｘ１４０（ｍｍ））から中型の３０号（９１０Ｘ７２７（ｍｍ））、野外では大きなサイズになる）のサイズまでのすべてを安定して固定できる。
（５）受台部２１の追加を追加すれば、同時に２つ以上のキャンバスを固定できる。
（６）使い手の要求により、イーゼル２の主軸竿部２０（木材）を切断することで、自分の希望にあった長さに簡単に調整できる。
（７）イーゼル２の主軸竿部２０にカメラ三脚用ナットを３分の１程度の距離に、あらかじめ３つ取り付けておくことで、一つの長い主軸竿部２０を切断して２つの短い主軸竿部２０を取ることができる。小作品用、中作品の２つのイーゼル２になる。
【００４３】
（全体の作用）
上述したように、本実施例のイーゼルシステムＳを用いることで、美術愛好者層が求める中型作品サイズのキャンバスを保持し、かつ、シンプルな構造によって部品点数が減り重量も軽くなるため、小回りが効くうえ、携帯性・保管性にすぐれたイーゼルシステムＳとなっている。したがって、作品制作に入るまでのキャンバス９０、道具の設置がスムースに、かつ、楽に行える。そのため、準備や片付け、描きやすさが増す分だけ、絵を描く楽しさも増すのである。
【００４４】
以上、図面を参照して、本発明の実施例を詳述してきたが、具体的な構成は、この実施例に限らず、本発明の要旨を逸脱しない程度の設計的変更は、本発明に含まれる。
【符号の説明】
【００４５】
Ｓ          イーゼルシステム
２          イーゼル
２０        主軸竿部
２１        受台部
３          テーブル棚
３０        ボード部
３１        梁部
３２        嵌合アーム部
８０        三脚
８１〜８３  脚部
９０        キャンバス
【図１】
2020078493.tif 000003
【図２】
2020078493.tif 000004
【図３】
2020078493.tif 000005
【図４】
2020078493.tif 000006
【図５】
2020078493.tif 000007
【図６】
2020078493.tif 000008
【図７】
2020078493.tif 000009
【図８】
2020078493.tif 000010
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
三脚に取り付けられるテーブル棚であって、
平板状のボード部と、
前記ボード部の側縁近傍に取り付けられる梁部と、
前記梁部に取り付けられる左右一対の嵌合アーム部であって、三脚の２本の脚部を抱えるように、外側から内側に向かって伸びる嵌合アーム部と、を備え、
前記嵌合アーム部は、前記梁部との間に形成される隙間が、外側で狭くなり、かつ、内側で広くなるように、前記梁部に対して斜めに伸びるようにされている、テーブル棚。
【請求項２】
前記嵌合アーム部は、前記梁部に対してスライド移動可能に構成されている、請求項１に記載されたテーブル棚。
【請求項３】
三脚と、
前記三脚の２本の脚部を抱えるように取り付けられる、請求項１又は請求項２に記載されたテーブル棚と、
前記三脚のカメラ台に取り付けられるイーゼルと、を備えるイーゼルシステム。
【請求項４】
前記イーゼルは、
前記三脚のカメラ台に取り付けられる主軸竿部と、
前記主軸竿部に沿ってスライド移動可能に構成された一対の受台部であって、キャンバスを上下から挟持することができるようになっている、一対の受台部と、
から構成される、請求項３に記載されたイーゼルシステム。